(57)【要約】【課題】室内側で書類受用開口から受け取った書類に、その場で署名や捺印ができ、荷物受取りに関する手続きを楽に行なうことのできるドアが要求されている。【解決手段】ドア１は、ドア本体２に、室内Ｉと室外Ｈとを連通する書類受用開口３が形成され、書類受用開口３の下縁部３Ａに、書類受用開口３を開閉する蓋板部材４が、室内Ｉ側の略水平位置（実線で示す位置）と書類受用開口３を封止する起立位置（２点鎖線で示す位置）との間を起倒するようにヒンジ部材５を介して設けられているものである。そして、このドア１では、ドア本体２に室内Ｉと室外Ｈとを連通する覗き穴７が形成され、覗き穴７が、室外Ｈからの光を通し且つ室内Ｉからの光を反射するマジックミラー８で塞がれている。【選択図】図２
2010248849.tif 000002
【特許請求の範囲】
【請求項１】
ドア本体に、室内外を連通する書類受用開口が形成され、書類受用開口の下縁部に、書類受用開口を開閉する蓋板部材が、室内側の略水平位置と書類受用開口を封止する起立位置との間を起倒するようにヒンジ部材を介して設けられていることを特徴とするドア。
【請求項２】
蓋板部材の揺動先端面に、筆記具または印鑑を収容するポケット部が形成されている請求項１に記載のドア。
【請求項３】
ドア本体に、室内外を連通する書類受用開口が形成され、書類受用開口の下方位置でドア本体の室内側の面に、ボックス上面開口を有するポストボックスが取り付けられ、ボックス上面開口の室内側縁部に、ボックス上面開口を蓋止するボックス蓋板部材がヒンジ部材を介して起倒自在に設けられ、ボックス蓋板部材の下方位置で、ボックス上面開口内の略水平位置とポストボックス内で垂下した位置との間を揺動する揺動板部材が、前記ヒンジ部材を介してボックス蓋板部材と同軸で起倒自在に設けられ、ボックス蓋板部材が室内側で略水平位置に倒れたときに揺動板部材がボックス上面開口内の略水平位置にくるように、揺動板部材とボックス蓋板部材とを係合させる係合機構を備えていることを特徴とするドア。
【請求項４】
ドア本体に室内外を連通する覗き穴が形成され、覗き穴が、室外からの光を通し且つ室内からの光を反射するマジックミラーで塞がれている請求項１から請求項３までのいずれか一項に記載のドア。
【発明の詳細な説明】
【技術分野】
【０００１】
本発明は、宅配業務にからむ犯罪から身を守ることのできるドアに関するものである。
【背景技術】
【０００２】
従来、この種のドアとしては、下記の特許文献１〜７に示すものが知られている。例えば、特許文献１には、ドア本体に設けた小窓に開閉戸を設け、開閉戸を開けて小窓から印鑑、金銭、書類を受渡しするようにしたものが記載されている。また、特許文献１〜６には、ドア本体の下部に、小荷物を受け取るための荷受け開口が形成され、この荷受け開口に、外扉と、室内側に倒れる荷受け台が設けられているものが記載されている。それらのうち、特許文献２のドアには、荷受け開口の開閉扉に郵便受口が設けられている。特許文献７では、小荷物を受け取るための荷受け開口がドア本体の上部に形成され、この荷受け開口に、室内側に倒れる荷受け板が設けられているものが記載されている。
【先行技術文献】
【特許文献】
【０００３】
【特許文献１】特開２００６−８３６７４号公報
【特許文献２】特開２００４−２２５４９９号公報
【特許文献３】特開２０００−１３００４５号公報
【特許文献４】特開平８−２４６７６３号公報
【特許文献５】特開平７−１３９２６９号公報
【特許文献６】実開平５−８４７９２号公報
【特許文献７】実開平５−２４８８０号公報
【発明の概要】
【発明が解決しようとする課題】
【０００４】
上記した特許文献１や２のように、印鑑、金銭、書類をドア本体の小窓や郵便受口から受渡しするものでは、受け取った書類に署名や捺印をするための下敷きが手元にないため、いったん居間などに戻って署名や捺印をしなければならず、面倒で手間がかかるという問題がある。また、特許文献２〜７のように、開閉式の荷受け板を持ってはいても専用の書類受用開口がないものでは、書類の受取りと、署名および捺印後の返却を、開いた荷受け開口を通して行なわなければならない。その際には、書類の受け渡しをしゃがみ姿勢で行なわなければならず、特に年配者にとっては辛い作業となる。そして、荷受け開口が大きい場合はその荷受け開口から侵入されるおそれがあったり、侵入されないまでも手を入れられたりするおそれがある。
【０００５】
本発明は、上記した従来の問題点に鑑みてなされたものであって、室内側で書類受用開口から受け取った書類にその場で署名や捺印ができ、荷物受取りに関する手続きをドアを開けることなく楽に行なうことのできるドアの提供を目的とする。
【課題を解決するための手段】
【０００６】
上記目的を達成するために、本発明に係るドアは、ドア本体に、室内外を連通する書類受用開口が形成され、書類受用開口の下縁部に、書類受用開口を開閉する蓋板部材が、室内側の略水平位置と書類受用開口を封止する起立位置との間を起倒するようにヒンジ部材を介して設けられていることを特徴とするものである。
【０００７】
また、前記構成において、蓋板部材の揺動先端面に、筆記具または印鑑を収容するポケット部が形成されているものである。
【０００８】
そして、本発明に係る別のドアは、ドア本体に、室内外を連通する書類受用開口が形成され、書類受用開口の下方位置でドア本体の室内側の面に、ボックス上面開口を有するポストボックスが取り付けられ、ボックス上面開口の室内側縁部に、ボックス上面開口を蓋止するボックス蓋板部材がヒンジ部材を介して起倒自在に設けられ、ボックス蓋板部材の下方位置で、ボックス上面開口内の略水平位置とポストボックス内で垂下した位置との間を揺動する揺動板部材が、前記ヒンジ部材を介してボックス蓋板部材と同軸で起倒自在に設けられ、ボックス蓋板部材が室内側で略水平位置に倒れたときに揺動板部材がボックス上面開口内の略水平位置にくるように、揺動板部材とボックス蓋板部材とを係合させる係合機構を備えていることを特徴とするものである。
【０００９】
そして、前記した各ドアにおいて、ドア本体に室内外を連通する覗き穴が形成され、覗き穴が、室外からの光を通し且つ室内からの光を反射するマジックミラーで塞がれているものである。
【発明の効果】
【００１０】
本発明に係るドアによれば、ドア本体の書類受用開口の下縁部に、書類受用開口を開閉する蓋板部材が設けられているので、書類受用開口を封止していた蓋板部材を室内側に倒すと、書類受用開口が開放される。従って、ドア本体を開けることなく、書類受用開口から荷物伝票などの書類を受け取ることができる。引き続き、蓋板部材を室内側に倒すと、蓋板部材は略水平位置に保持されるので、別途下敷きなどを用意することなく、略水平の蓋板部材の上面で書類に楽に署名や捺印をすることができる。
【００１１】
また、蓋板部材の揺動先端面に、筆記具または印鑑を収容するポケット部が形成されているものでは、筆記具や印鑑を居間などに取りに戻らなくてよく、蓋板部材を略水平に倒したのちにポケット部から筆記具または印鑑を取り出せるので、その場で署名や捺印をすることができる。また、ポケット部は揺動先端面に設けられているので、蓋板部材が起立位置にあるときはポケット部の開口面が上向きになっているから、筆記具または印鑑を安定して確実に収容できる。一方、蓋板部材が略水平位置にあるときポケット部は蓋板部材の側面位置にあるので、略水平の蓋板部材の上面はポケット部がなく平坦であるから、筆記具や印鑑を使用しやすい。従って、略水平の蓋板部材の上面に仮にポケット部を設けた場合のように、筆記具が書類を貫通しポケット部に達して書類を破れさせるということがない。
【００１２】
また、本発明に係る別のドアによれば、ポストボックスのボックス上面開口の室内側縁部に、ボックス蓋板部材がヒンジ部材を介して起倒自在に枢支され、このヒンジ部材に揺動板部材が同軸に枢支されており、更に揺動板部材とボックス蓋板部材とが係合機構により係合するようになっているので、ボックス蓋板部材を開くと、ボックス上面開口および書類受用開口が開放されるので、これらの開口から書類を入れることができる。このとき、揺動板部材はボックス上面開口内で略水平姿勢となり、入れられた書類を受けることができる。一方、倒されたボックス蓋板部材も略水平姿勢になっているので、略水平のボックス蓋板部材の上面で書類に楽に署名や捺印を行なうことができる。そして、このドアは、請求項１記載のドアと比べて、書類受用開口よりも広いボックス上面開口を被う揺動板部材上およびボックス蓋板部材上に書類を載置するので、確実に書類を受け取ることができ、広いボックス蓋板部材上で署名や捺印をいっそう楽に行なうことができる。
【００１３】
そして、ドア本体に形成された覗き穴がマジックミラーで塞がれているものでは、マジックミラーが室外からの光を通し室内からの光は反射するので、室外から室内を覗くことはできない。これにより、覗き穴の穴径を大きくすることができるから、居住者は室内側で覗き穴に近づかなくても、大径の覗き穴を通して室外を見渡すことができる。その結果、室外状況の確認を億劫がることなく手軽に行なうことができる。また、事前に筆記具や印鑑を準備しやすくなるという効果もある。
【図面の簡単な説明】
【００１４】
【図１】本発明の一実施形態に係るドアの斜視図である。
【図２】前記ドアの側断面図である。
【図３】前記ドアの荷受け部分を室外から見た図であって、（ａ）は当該部分の正面図、（ｂ）は外扉を開いた状態を示す斜視図である。
【図４】前記ドアの荷受け部分を室内から見た図であって、（ａ）は背面図、（ｂ）は荷受け台を開いた状態を示す斜視図、（ｃ）は当該部分の一部断面を含む側断面図である。
【図５】前記ドアの書類受部分の一例を示す図であって、（ａ）は当該部分の側断面図、（ｂ）は当該部分を室外から見た斜視図、（ｃ）は当該部分に用いる蓋板部材を示す斜視図である。
【図６】前記ドアの書類受部分の別例を示す図であって、（ａ）は当該部分の側断面図、（ｂ）は当該部分を室外から見た正面図、（ｃ）は当該部分の背面図である。
【図７】本発明の別の実施形態に係るドアにおけるポストボックスを含む部分を示す斜視図である。
【図８】前記ポストボックスを含む部分の側断面図である。
【図９】（ａ），（ｂ），（ｃ）は前記ポストボックスのヒンジ部材に用いる筒部材を示す斜視図である。
【図１０】（ａ）は前記ポストボックスのボックス蓋板部材がボックス上面開口を蓋止しているときのヒンジ部材の状態を示す背面図、（ｂ）は（ａ）におけるヒンジ部材の正面図である。
【図１１】（ａ）はボックス蓋板部材が垂直姿勢に立てられたときのヒンジ部材の状態を示す背面図、（ｂ）は（ａ）におけるヒンジ部材の正面図である。
【図１２】（ａ）はボックス蓋板部材を室内側に水平に倒したときのヒンジ部材の状態を示す背面図、（ｂ）は（ａ）におけるヒンジ部材の正面図である。
【図１３】前記ボックス蓋板部材を室内側に倒し水平にして使用する態様を示す側断面図である。
【発明を実施するための形態】
【００１５】
本発明の実施形態を図面に基づいて説明する。尚、以下に述べる実施形態は本発明を具体化した一例に過ぎず、本発明の技術的範囲を限定するものでない。図１は本発明の一実施形態に係るドアの斜視図、図２は前記ドアの側断面図である。
図１，２において、この実施形態に係るドア１は、例えばマンションなどの玄関に取り付けられるドアであり、正面から見て長方形状のドア本体２を備えている。このドア本体２の上下中央部には、室内Ｉと室外Ｈとを連通する書類受用開口３が形成されている。書類受用開口３の下縁部３Ａには、書類受用開口３を開閉する蓋板部材４が、室内Ｉ側の水平位置（図２中に実線で示す）と書類受用開口３を封止する起立位置（図２中に２点鎖線で示す）との間を、図２中の矢印Ｊに示すように起倒するよう、ヒンジ部材５を介して取り付けられている。書類受用開口３の前面を覆う庇部材６がドア本体２の前面に取り付けられている。
【００１６】
一方、ドア本体２の下部には、室内Ｉと室外Ｈとを連通する荷物用開口９が形成されている。荷物用開口９の前面には、荷物用開口９を被う外扉１０が配備されている。外扉１０は、荷物用開口９の例えば右側縁にヒンジ部材１３，１３を介して水平方向揺動自在に取り付けられている。荷物用開口９の後側部分には、荷物を受けるための荷受け台１１が配備されている。荷受け台１１は、荷物用開口９の下縁部にヒンジ部材１２を介して上下方向揺動自在（図２中の矢印Ｋ方向）に取り付けられている。
【００１７】
ドア本体２の上部には、室内Ｉと室外Ｈとを連通する覗き穴７が形成されている。覗き穴７はその穴径が例えば３０〜５０ｍｍに形成され、室外Ｈからの光を通し且つ室内Ｉからの光を反射するマジックミラー８で塞がれている。マジックミラー８は室内Ｉから室外Ｈを広く見通せる広角レンズ構造としてもよい。また、覗き穴７内におけるマジックミラー８の前方位置には、透明な強化ガラスや強化プラスチックからなる透明体７０が埋め込まれている。
【００１８】
尚、図１において、符号１４はドア１をマンションなどの玄関に取り付けるためのヒンジ部材を示している。また、１５は外扉１０を開閉するために操作される埋込取っ手、１６はドアノブである。そして、手や刃物の挿入を防ぐために書類受用開口３を極力小さくするのであれば、図１中に２点鎖線で示すように、新聞受口１８を別途設けてもよい。図２において、１７は荷物受取りに関する注意書きを表示した例えばプレートからなる注意書き表示部である。
【００１９】
注意書き表示部１７に記載されている注意書きの内容は、例えば次の通りである。
『    宅配受取心得と振込詐欺
知らない宅配者にはドアを開けないこと。書類受用開口３を利用すること。サインや捺印は書類内容をよく読んでからでなければ書かない捺さないこと。送り状を受け取って送り主を確認しましょう。知らない所からの贈り物はドアを開けないで室外Ｈに置いて帰って頂くこと。怪しければ受け取らないこと。自分が注文していないものは例え家族のものであっても代金を支払わないこと。電話でのお金の話は身内の人でも警察へ届けること。一度振り込んだお金は絶対に帰ってこないと思うこと。出かけるときは戸締りを。』
といった内容が箇条書きされている。
【００２０】
図３に示すように、外扉１０の上面には軸２０が突設され、この軸２０にストッパアーム１９の一端部が水平方向揺動自在に軸支されている。ストッパアーム１９の他端部には滑り子２１が取り付けられている。滑り子２１は、荷物用開口９の上方位置に横設されたガイド板部材４１上を摺動する。ガイド板部材４１上の端部には突起２２が固設されている。埋込取っ手１５を持って外扉１０が開かれると、滑り子２１がガイド板部材４１上を摺動し最後は突起２２に当接して止まる。これにより、外扉１０の全開位置が規定されるようになっている。
【００２１】
荷受け用の部分において、室内Ｉ側の部分は、図４に示すように、荷受け台１１の左右両側面に、１対の保持アーム２３，２３の一端部が垂直方向揺動自在に軸支されている。保持アーム２３，２３の他端部には滑り子２４，２４がそれぞれ取り付けられている。滑り子２４，２４は、荷物用開口９の左右内側壁に縦設されたガイドレール２５，２５（一方の２５のみ図示）内を上下方向に摺動する。起立姿勢の荷受け台１１の背面上部には、開閉時に手で操作されるラッチ式平面ハンドル２７が配備されている。ラッチ式平面ハンドル２７のハンドルと連動するラッチ２６は、前記起立姿勢の荷受け台１１の上面に出没自在に設けられており、荷物用開口９の上縁部と係脱自在に係合する。ラッチ２６のキーロックは、ラッチ式平面ハンドル２７に設けられた鍵穴２８に鍵（図示省略）を差し込んで行なわれる。ラッチ式平面ハンドル２７を持って荷受け台１１が開かれると、滑り子２４，２４がガイドレール２５，２５内を下向きに摺動し最後は係止端部４２，４２に当接して止まる。これにより、荷受け台１１が水平姿勢に保持される。
【００２２】
蓋板部材４は、図５に示すように、背面から視て例えば長方形状に形成されていて、その背面に取っ手２９が設けられている。蓋板部材４の揺動先端側の端面４Ａには、ボールペンや鉛筆などの筆記具、または朱肉用やスタンプ式の印鑑などを収容し保持するためのポケット部３０が形成されている。このポケット部３０は、蓋板部材４を水平姿勢に倒しても（図５中の２点鎖線で示す符号４）、収容していた筆記具などが簡単には落ちないような凹陥形状に形成されている。
【００２３】
上記のように構成されたドア１の作用を以下に説明する。この場合、蓋板部材４が書類受用開口３を閉止し、外扉１０および荷受け台１１が荷物用開口９を閉止している状態から説明する。
居住者は、室内Ｉでドア１の前に立つたびに、注意書き表示部１７に記載されている注意文に目が留まり、「宅配受取心得と振込詐欺」の内容に留意する習慣がつく。一方、真の宅配業者、または宅配業者になりすました不届き者がインターホンを鳴らしたときも、居住者は注意書き表示部１７の注意文を見て受取心得を再確認することができる。また、振込詐欺の未然防止にも役立つ。
【００２４】
そして、インターホンが鳴ったときに、室内Ｉの居住者は覗き穴７から確認する。この場合、覗き穴７は広径なので、居住者が覗き穴７から離れた位置に立っていても、室外Ｈを広く観察することができる。しかも、このように大きな視界であるにも拘わらず、マジックミラー８があるために、室内Ｉを覗かれることはない。
そこで、居住者は正規の宅配業者であると確信したときに、インターホンで書類受用開口３から書類Ｓを入れるように宅配業者に申し伝え、蓋板部材４を倒して書類受用開口３を開放する。そのうち、蓋板部材４は、その室内側下部が書類受用開口３の下縁部３Ａの上面に当接して止まり水平姿勢に保持される。書類受用開口３から入れられた書類Ｓは水平な蓋板部材４上に載置される（図５（ａ）参照）。居住者は書類Ｓを受け取って記載内容をしっかり確認する。記載内容に納得すれば、書類Ｓを蓋板部材４の上に置き、筆記具で署名したり印鑑を捺したのちに書類受用開口３から宅配業者に返却する。
【００２５】
従って、この実施形態のドア１によれば、ドア本体２を開かなくても、書類Ｓの内容確認、署名、または捺印などを行なうことができる。その結果、無用な強盗事件や傷害事件に遭遇しなくて済む。また、素顔であったりパジャマ姿であっても、その姿を見られることなく書類Ｓへの署名または捺印を行なうことができる。尚、本発明のドアは荷物用開口９、外扉１０、荷受け台１１などを持たないドアであっても適用される。その場合、書類受用開口３および蓋板部材４を利用して、書類Ｓの内容確認、署名、または捺印だけを行ない、荷物は室外Ｈに置いてもらって、人の気配がなくなった時にドア１を開けて荷物を取り込めばよいのである。また、蓋板部材４に設けられたポケット部３０に筆記具や印鑑が収容されているので、居住者は筆記具や印鑑を居間などに取りに戻らなくて済む。従って、居住者はその場で直ちに署名や捺印をすることができる。また、水平姿勢の蓋板部材４の上面はポケット部がなく平坦であるから、筆記具や印鑑を使用しやすいという効果もある。
【００２６】
また、上記の実施形態では、蓋板部材４のみで書類受用開口３を蓋止するようにしたが、本発明のドアはそれに限定されるものでない。例えば、図６に示すように、開口部３３を有する周知の書類受用枠体３１を、蓋板部材４の前方位置で書類受用開口３の周縁部に固設し、外蓋体３２を、書類受用枠体３１の上縁部にヒンジ部材３４を介して前後揺動自在に設け、ヒンジ部材３４に添設したコイルバネ３５で、外蓋体３２を蓋止する方向に弾性付勢するようにしたものである。  外蓋体３２の側部には軸３６が設けられている。軸３６にはリンクアーム３７の一端部が前後揺動自在に取り付けられている。一方、蓋板部材４の前面下部には軸４０が設けられ、軸４０にはリンクアーム３９の一端部が前後揺動自在に取り付けられている。リンクアーム３７の他端部とリンクアーム３９の他端部は、連結部３８を介して前後揺動自在に連結されている。
【００２７】
この実施形態のドアでは、居住者が取っ手２９を持って、蓋板部材４を室内Ｉ側に引くと、リンクアーム３７，３９および連結部３８の連動により、外蓋体３２がヒンジ部材３４を中心として後向きに揺動して書類受用枠体３１の開口部３３を開き始める。更に、蓋板部材４を倒して水平にすると、外蓋体３２も大きく揺動し、開口部３３は書類Ｓを通せるほどに開放される。
このように構成すると、書類受用開口３の閉止が２重構造となるので、書類受用開口３から室外Ｈから手を入れにくく、あるいは室内Ｉを覗かれるおそれが少なくなるという効果と、書類受用開口３の気密性を高くして保温・防音作用を高めるという効果を奏する。
【００２８】
他方、本発明の別の実施形態に係るドア１ａを図７、図８に示す。
この実施形態に係るドア１ａは、ドア本体２に、室内Ｉと室外Ｈとを連通する書類受用開口５５が形成されている。そして、ドア本体２の室内Ｉ側の面２Ａで書類受用開口５５の下方位置には、ポストボックス４６が取り付けられている。ポストボックス４６は、ボックス上面開口４６Ａと、書類、郵便、または新聞などを取り出すための取出し用開口４７を有している。ボックス上面開口４６Ａは、ドア本体２から離れるほど下降する傾斜になっている。ボックス上面開口４６Ａの室内側縁部４６Ｂには、ボックス上面開口４６Ａを蓋止するボックス蓋板部材５１がヒンジ部材５２を介して起倒自在に設けられている。取出し用開口４７は、ボックス本体４６前下部にヒンジ部材４８を介して設けられた蓋部材４９により蓋止されるようになっている。蓋部材４９の前面には取っ手５０が設けられている。
【００２９】
ボックス上面開口４６Ａの室内側縁部４６Ｂには、ボックス上面開口４６Ａを蓋止するボックス蓋板部材５１がヒンジ部材５２を介して前後起倒自在に設けられている。ボックス蓋板部材５１の下方位置でポストボックス４６内には、揺動板部材５７が、前記のヒンジ部材５２を介してボックス蓋板部材５１と同軸に前後揺動自在に設けられている。この揺動板部材５７は、ボックス上面開口４６Ａ内の水平位置とポストボックス４６内で垂直に垂下した位置との間を揺動する。揺動板部材５７の横幅は書類Ｓを確実に受けるために書類受用開口５５よりも大きめにしておく。書類受用開口５５からの書類Ｓをポストボックス４６内に落とさないために、揺動板部材５７の縦寸法は、水平姿勢にしたときの揺動板部材５７の先端がドア本体２の内側の面２Ａに極力近くなるような寸法にするとよい。ボックス上面開口４６Ａを蓋止している状態のボックス蓋板部材５１の上面には、取っ手５３が設けられており、下面には前述したポケット部３０を有するサイン台５６が固設されている。
【００３０】
ヒンジ部材５２は、図９および図１０に示すように、軸５４と、軸５４に装嵌された円筒状の筒部材６０，６２，６３，６４，６５とから構成されている。筒部材６０〜６５は順に軸５４に装嵌されている。筒部材６０，６５は一端部に爪部６０Ａ，６５Ｂを有しており、それぞれ軸５４およびボックス本体４６の室内側縁部４６Ｂに固設されている。筒部材６１，６３は一端部に爪部６１Ｂ，６３Ａを有しており、それぞれ軸５４に回動自在に嵌装されている。筒部材６１はボックス蓋板部材５１と接続されており、筒部材６３は揺動板部材５７と接続されている。筒部材６２は爪部の無い円筒状に形成されており、軸５４に回動自在に嵌装され揺動板部材５７と接続されている。筒部材６４は一端部に爪部６４Ａを有し他端部に爪部６４Ｂを有しており、軸５４に回動自在に嵌装され、ボックス蓋板部材５１と接続されている。すなわち、図１０〜１２中の符号６６は筒部材６１および筒部材６４がボックス蓋板部材５１の下端部に溶接などで接続される接続部分を示し、符号６７は筒部材６２および筒部材６３が揺動板部材５７の上端部に溶接などで接続される接続部分を示している。また、ヒンジ部材５２は、後で詳述する係合機構６８を備えている。
【００３１】
図１０はボックス蓋板部材５１がボックス上面開口４６Ａを蓋止しているときのヒンジ部材５２の状態（（ａ）は背面から見た図、（ｂ）は正面から見た図）を示している。このとき、図８のように、ボックス蓋板部材５１は前側が高い傾斜姿勢になっており、揺動板部材５７は垂直に垂れ下がった姿勢になっている。また、各筒部材の爪部はいずれも係合していない。そして、書類受用開口５５からはボックス蓋板部材５１に遮られて室内Ｉを覗けないようになっている。
【００３２】
そこで、居住者が取っ手５３を持ちボックス蓋板部材５１を起こして垂直に起立させると、ヒンジ部材５２は図１１に示すような状態になる。この場合も、各筒部材の爪部は係合していない。
更に、ドア本体２から離す方向にボックス蓋板部材５１を揺動させると、垂直から例えば１０度の角度になったとき、筒部材６４の爪部６４Ｂが筒部材６３の爪部６３Ａに当接する。引き続き、ボックス蓋板部材５１を揺動させると、ボックス蓋板部材５１に随伴して、揺動板部材５７がドア本体２の面２Ａに近づく方向に揺動する。
【００３３】
そのうち、図１２に示すように、筒部材６１の爪部６１Ｂが筒部材６０の爪部６０Ａに当接すると同時に、筒部材６４の爪部６４Ａが筒部材６５の爪部６５Ｂに当接する。すると、図１３に示すように、ボックス蓋板部材５１が室内Ｉ側で水平に倒れた位置（図１３中の５１）に保持され、揺動板部材５７がボックス上面開口４６Ａ内で水平位置にくる。
すなわち、係合機構６８は、爪部６０Ａを有して軸５４に固定された筒部材６０と、爪部６１Ｂを有して軸５４に回動自由の筒部材６１と、爪部６３Ａを有して軸５４に回動自由の筒部材６３と、爪部６４Ａ，６４Ｂを有して軸５４に回動自由の筒部材６４と、爪部６５Ｂを有して軸５４に固定された筒部材６５とから構成されている。このような構成の係合機構６８により、ボックス蓋板部材５１が室内Ｉ側でほぼ水平に倒れた位置にきたときに揺動板部材５７がボックス上面開口４６Ａ内でほぼ水平位置にくるように、揺動板部材５７とボックス蓋板部材５１とを係合させるのである。
【００３４】
図１３のように、ボックス蓋板部材５１および揺動板部材５７が水平姿勢になったところで、送り状などの書類Ｓを書類受用開口５５から室内Ｉに挿入してもらう。居住者は書類Ｓを受け取って記載内容をしっかり確認し、納得すれば、書類Ｓをサイン台５６の上に置いて筆記具５８で署名をしたり印鑑５９を捺して書類受用開口５５から宅配業者に返却する。
【００３５】
このように、この実施形態に係るドア１ａは、元々あった書類受用開口５５、ポストボックス４６およびボックス蓋板部材５１をそのまま利用し、係合機構６８付きのヒンジ部材５２および揺動板部材５７を取り付けたので、構成がさほど複雑でなく安価に実現でき、見た目もシンプルで美しい。
そのうえ、ボックス蓋板部材５１を開くという動作だけで、書類受用開口５５を室内Ｉと連通させ、書類受用開口５５の手前に揺動板部材５７をせり出させて水平姿勢とし、更にボックス蓋板部材５１を水平に保持することができる。従って、書類Ｓの受け取りを揺動板部材５７上で行なうことができ、書類Ｓの内容確認、サイン、捺印をボックス蓋板部材５１上で行なうことができる。用済み後はボックス蓋板部材５１を戻しボックス上面４６Ａを蓋止するだけで、一連の所作が完了し、元の状態に復帰するのである。
【００３６】
尚、ボックス蓋板部材５１と揺動板部材５７を係合させる係合機構６８として、上記では爪部を有する筒部材を用いた例を示したが、本発明の係合機構はそれに限るものでない。図示は省略するが、例えば周知のリンク機構を介してボックス蓋板部材と揺動板部材を連結し、ボックス蓋板部材の揺動に揺動板部材を連動させるようにしても構わない。
【００３７】
また、上記ではマンションなどの玄関に設置されるドアの例を示したが、本発明のドアは、例えば観音開き式のドアや和室の引戸などに適用できることは言うまでもない。
【符号の説明】
【００３８】
１，１ａ  ドア
２    ドア本体
２Ａ  面
３    書類受用開口
３Ａ  下縁部
４    蓋板部材
４Ａ  端面
５    ヒンジ部材
７    覗き穴
８    マジックミラー
９    荷物用開口
３０  ポケット部
４５  ポストボックス
４６Ａ  ボックス上面開口
４７  取出し用開口
４８  ヒンジ部材
４９  蓋部材
５１  ボックス蓋板部材
５２  ヒンジ部材
５４  軸
５５  書類受用開口
５７  揺動板部材
５８  筆記具
５９  印鑑
６０〜６５  筒部材
６０Ａ，６１Ｂ，６３Ａ，６４Ａ，６４Ｂ，６５Ｂ  爪部
６８  係合機構
Ｈ    室外
Ｉ    室内
Ｊ    矢印
Ｋ    矢印
Ｓ    書類
【図１】
2010248849.tif 000003
【図２】
2010248849.tif 000004
【図３】
2010248849.tif 000005
【図４】
2010248849.tif 000006
【図５】
2010248849.tif 000007
【図６】
2010248849.tif 000008
【図７】
2010248849.tif 000009
【図８】
2010248849.tif 000010
【図９】
2010248849.tif 000011
【図１０】
2010248849.tif 000012
【図１１】
2010248849.tif 000013
【図１２】
2010248849.tif 000014
【図１３】
2010248849.tif 000015